(57)【要約】【課題】シース先端の支持本体において嘴状処置片を開閉自在に支持する支軸に対してどちらの方向から外力が加わっても支軸が支持本体から外れ難くて、耐久性の優れた内視鏡用嘴状処置具を提供すること。【解決手段】シース１先端の支持本体２に形成されたスリット３内において一対の嘴状処置片４を個別に開閉自在に支持する二本の支軸５が、スリット３を横断するように支持本体２に平行に形成された孔１０ａ，１０ｂに相反する方向から通されていて、各支軸５の頭部５ａが孔１０ａ，１０ｂを通過できない大きさに形成され、各支軸５の先端部分がスリット３を横断した位置において支持本体２に固定されている。【選択図】　　　図１
2004000424.tif 000002
【特許請求の範囲】
【請求項１】
シース先端の支持本体に形成されたスリット内において一対の嘴状処置片を個別に開閉自在に支持する二本の支軸が、上記スリットを横断するように上記支持本体に平行に形成された孔に相反する方向から通されていて、上記各支軸の頭部が上記孔を通過できない大きさに形成され、上記各支軸の先端部分が上記スリットを横断した位置において上記支持本体に固定されていることを特徴とする内視鏡用嘴状処置具。
【請求項２】
上記支軸がリベット状に形成されて、その先端において上記支持本体にかしめ又は溶着により固定されている請求項１記載の内視鏡用嘴状処置具。
【請求項３】
上記支軸がビス状に形成されて、その先端において上記支持本体のネジ孔に螺合固定されている請求項１記載の内視鏡用嘴状処置具。
【請求項４】
上記二本の支軸が互いの間の間隔をあけて平行に設けられると共に、上記一対の嘴状処置片の間に配置されたスペーサが上記二本の支軸により上記スリット内に保持されている請求項１、２又は３記載の内視鏡用嘴状処置具。
【発明の詳細な説明】
【０００１】
【発明の属する技術分野】
この発明は、嘴状に開閉する嘴状処置片が先端に軸支された内視鏡用嘴状処置具に関する。
【０００２】
【従来の技術】
嘴状処置片が嘴状に開閉する内視鏡用嘴状処置具としては、生検鉗子、把持鉗子、止血鉗子或いは鋏鉗子その他多くのものがある。
【０００３】
図９はそのような従来の内視鏡用嘴状処置具の先端部分を示しており、可撓性シース１の先端に連結固着された支持本体２に、先側に開口するスリット３が一定の幅で形成されている。
【０００４】
スリット３の先端部分には、スリット３を横断するように配置されたリベット状の支軸５が支持本体２の中心軸線に対して直角方向に配置され、支軸５は支持本体２に穿設された段付き通孔１０に通されてその先端がかしめ又は溶着により支持本体２に固定されている。
【０００５】
このような構成により、可撓性シース１の軸線位置に挿通配置された操作ワイヤ（図示せず）を手元側から進退操作することによって、一対の嘴状処置片４が支軸５を中心に嘴状に開閉する（例えば、特許文献１参照）。
【０００６】
【特許文献１】
特公平５−５４３４５号公報
【０００７】
【発明が解決しようとする課題】
リベット状の支軸５は、図９に示されるように、頭部５ａが抜け止め用に太く形成されていて、中間部より細く形成されている先端部分を段付き通孔１０内でかしめて広げることにより（又は、段付き通孔１０の内周面に溶着することにより）支持本体２に固定される。
【０００８】
したがって、支軸５を先端５ｂ側に抜き出そうとする力が作用したときは、その力が大きくても頭部５ａが段付き通孔１０に入り込むことはできないので、支軸５が支持本体２から抜け出すことはない。
【０００９】
しかし、逆に支軸５を頭部５ａ側に抜き出そうとする力が作用したとき、先端５ｂのかしめ部分が変形したり溶着部分が腐食し始めていると、支軸５が比較的容易に支持本体２から抜け出して、内視鏡用嘴状処置具の先端部分がバラバラになってしまう恐れがある。
【００１０】
そこで本発明は、シース先端の支持本体において嘴状処置片を開閉自在に支持する支軸に対してどちらの方向から外力が加わっても支軸が支持本体から外れ難くて、耐久性の優れた内視鏡用嘴状処置具を提供することを目的とする。
【００１１】
【課題を解決するための手段】
上記の目的を達成するため、本発明の内視鏡用嘴状処置具は、シース先端の支持本体に形成されたスリット内において一対の嘴状処置片を個別に開閉自在に支持する二本の支軸が、スリットを横断するように支持本体に平行に形成された孔に相反する方向から通されていて、各支軸の頭部が孔を通過できない大きさに形成され、各支軸の先端部分がスリットを横断した位置において支持本体に固定されているものである。
【００１２】
なお、支軸がリベット状に形成されて、その先端において支持本体にかしめ又は溶着により固定されていてもよく、或いは、支軸がビス状に形成されて、その先端において支持本体のネジ孔に螺合固定されていてもよい。
【００１３】
また、二本の支軸が互いの間の間隔をあけて平行に設けられると共に、一対の嘴状処置片の間に配置されたスペーサが二本の支軸によりスリット内に保持されていてもよい。
【００１４】
【発明の実施の形態】
図面を参照して本発明の実施例を説明する。
図２は本発明の第１の実施例の内視鏡用バイポーラ型高周波処置具の先端部分の斜視図であり、図３はその側面部分断面図、図４は平面断面図である。ただし、図３及び図４においては、各々断面位置が相違する複数の部分を一つの図面に図示してある。
【００１５】
１は、図示されてない内視鏡の処置具挿通チャンネルに挿脱される、直径が２〜３ｍｍ程度で長さが１〜２ｍ程度の可撓性シースであり、例えば四フッ化エチレン樹脂チューブ等のような電気絶縁性のチューブによって形成されている。
【００１６】
可撓性シース１の先端には、電気絶縁性の例えば硬質プラスチック又はセラミック等からなる支持本体２が連結固着されており、その支持本体２には、先側に開口するスリット３が一定の幅で形成されている。
【００１７】
スリット３の先端部分には、支持本体２の中心軸線を挟んでその両側に離れた位置において各々スリット３を横断する状態に、ステンレス鋼棒製の二つの支軸５が平行に固着されている。
【００１８】
１０ａ，１０ｂは、リベット状の支軸５を通して支持本体２に固定するために、支持本体２の軸線に対して垂直に真っ直ぐにスリット３をまたいで支持本体２に形成された段付き通孔である。
【００１９】
そして、電極として機能するようにステンレス鋼等のような導電性金属によって形成された一対の嘴状処置片４が、嘴状に開閉自在に二つの支軸５に個別に回動自在に軸支されている。
【００２０】
９は、支軸５が回転自在に嵌合するように嘴状処置片４に形成された回転支持孔である。なお、図３においては、嘴状処置片４が閉じている状態が実線で示され、開いた状態が二点鎖線で示されている。
【００２１】
この実施例の嘴状処置片４の嘴状に開閉する部分は、内視鏡用嘴状処置具の先端部分の分解斜視図である図５にも示されるように、開口部どうしが対向するカップ状に形成されている。ただし、腕状その他どの様な形状であっても差し支えない。
【００２２】
支持本体２に形成されているスリット３の先端部分内には、一対の嘴状処置片４の間を電気的に絶縁するための絶縁スペーサ６が、両嘴状処置片４の間に位置するように配置されている。
【００２３】
各嘴状処置片４の後方部分は、回転支持孔９より後方に駆動腕部４ａが一体に延出形成されており、その突端近傍に形成された通孔７に、二本の導電線８の先端が通されて連結されている。
【００２４】
各導電線８は、電気絶縁被覆が全長にわたって施されており、先端部分においてだけ露出した導線８ａが、各々嘴状処置片４に接触する状態で通孔７に係合している。
【００２５】
二本の導電線８は、軸線方向に進退自在に可撓性シース１内に全長にわたって挿通配置されていて、図６に示されるように、可撓性シース１の基端に連結された操作部において操作輪１１により軸線方向に進退操作される。
【００２６】
したがって、導電線８は嘴状処置片４を遠隔操作によって開閉させるための操作ワイヤとしても機能しており、可撓性シース１内においては二本の導電線８を一体的に結束しておくとよい。
【００２７】
二本の導電線８の基端部は、操作部において高周波電源２０の正極と負極の電源コードに分かれて接続されており、高周波電源２０をオンにすることによって、一対の嘴状処置片４の一方が高周波電流の正電極になり、他方が負電極になる。
【００２８】
図５に単体の状態が図示されている絶縁スペーサ６は、例えば硬質の四フッ化エチレン樹脂又は他のプラスチック或いはセラミック等の材料からなる一つの部品で形成されていて、二本の支軸５が通される支持孔６ａが左右方向に平行に貫通穿設され、左右両側面には互いに食い違った位置を略半部ずつ凹ませて電極通過部６ｂが形成されている。
【００２９】
そして、図３におけるＩ−Ｉ断面を図示する図１に示されるように、絶縁スペーサ６の各支持孔６ａには支軸５が通されており、それによって絶縁スペーサ６が支持本体２のスリット３内に安定して保持された状態になっている。
【００３０】
また、絶縁スペーサ６の左右両面に凹んで形成された電極通過部６ｂには、一対の嘴状処置片４の回転支持孔９の周辺部分（駆動腕部４ａの基部）が固定されない状態に嵌め込まれていて、各嘴状処置片４が回転支持孔９に通された支軸５を中心にして回転自在に支持されている。
【００３１】
このようにして絶縁スペーサ６と一対の嘴状処置片４を支持本体２に支持している二本の支軸５は、絶縁スペーサ６及び嘴状処置片４に通されている中間部分と比較して、抜け止めとなる頭部５ａが太く形成され、先端５ｂ寄りの部分は一段細く形成されてその端部がかしめ加工により広げられている。
【００３２】
段付き通孔１０ａ，１０ｂは、リベット状の支軸５の径に合わせて、支軸５の頭部５ａが配置される部分１０ａが大きな径に形成され、支軸５の先端５ｂが通される部分１０ｂが細い径に形成されている。したがって、支軸５の頭部５ａは、段付き通孔の太径部１０ａ内に納まるが細径部１０ｂ内への挿入は不能である。
【００３３】
そして、この実施例においては、そのような太径部１０ａと細径部１０ｂとを有する二つの段付き通孔が、太径部１０ａと細径部１０ｂとがたがいに逆向きになるように配置されていて、そこに各々支軸５が通されている。
【００３４】
したがって、二つの支軸５は支持本体２に対して相反する方向（左右逆方向）から通されていて、各支軸５の先端５ｂが、太径部１０ａから見てスリット３を横断した位置にある細径部１０ｂの口元で広げられて支持本体２にかしめ固定されている。
【００３５】
したがって、二本の支軸５に対してどちらの方向から外力が加わっても、二本の支軸５のうちのどちらか一方の頭部５ａが支持本体２からの抜け出し動作を強力に阻止するので、支持本体２から支軸５の抜け出す現象が発生し難くて優れた耐久性を有することができる。
【００３６】
このように構成された内視鏡用嘴状処置具を用い、一対の嘴状処置片４を開いてその間に粘膜を挟んで、嘴状処置片４を閉じながら高周波電流を通電することにより、一対の嘴状処置片４の間に位置する生体組織に高周波電流が流れて、粘膜の焼灼凝固等を行うことができる。
【００３７】
そして、一対の嘴状処置片４の間に位置する生体組織以外の部分には高周波電流が流れないので、嘴状処置片４に通電したままの状態で処置を進めても周辺の生体組織が破壊されない。
【００３８】
なお、本発明は上記実施例に限定されるものではなく、例えば支軸５の頭部５ａが皿状等に形成されていてもよく、支軸５の先端５ｂを段付き通孔の細径部１０ｂ内において支持本体２に溶着したものであっても差し支えない。
【００３９】
また、図７及び図８に示される第２の実施例のように、支軸５を先端部分がネジ部５ｃになったビス状に形成すると共に、その先端ネジ部５ｃが係合する段付き通孔の先端部分をネジ孔１０ｃ状に形成して、それらを螺合させることにより、支軸５を支持本体２に固定したもの等であっても差し支えない。
【００４０】
また、本発明は高周波処置具に限らず、各種の内視鏡用嘴状処置具に適用することができる。
【００４１】
【発明の効果】
本発明によれば、一対の嘴状処置片を個別に開閉自在に支持する二本の支軸が支持本体に平行に形成された孔に対して相反する方向から通されていて、各支軸の頭部が孔を通過できない大きさに形成され、各支軸の先端部分が支持本体に固定されていることにより、嘴状処置片の支軸に対してどちらの方向から外力が加わっても、支軸が支持本体から外れ難くて優れた耐久性を得ることができる。
【図面の簡単な説明】
【図１】本発明の第１の実施例の内視鏡用嘴状処置具の図３におけるＩ−Ｉ断面図である。
【図２】本発明の第１の実施例の内視鏡用嘴状処置具の先端部分の斜視図である。
【図３】本発明の第１の実施例の内視鏡用嘴状処置具の先端部分の側面複合断面図である。
【図４】本発明の第１の実施例の内視鏡用嘴状処置具の先端部分の平面複合断面図である。
【図５】本発明の第１の実施例の内視鏡用嘴状処置具の先端部分の分解斜視図である。
【図６】本発明の第１の実施例の内視鏡用嘴状処置具の全体構成図である。
【図７】本発明の第２の実施例の内視鏡用嘴状処置具の先端部分の分解斜視図である。
【図８】本発明の第２の実施例の内視鏡用嘴状処置具の先端部分の平面複合断面図である。
【図９】従来の内視鏡用嘴状処置具の先端部分の斜視図である。
【符号の説明】
１　可撓性シース
２　支持本体
３　スリット
４　嘴状処置片
５　支軸
５ａ　頭部
５ｂ　先端
５ｃ　先端ネジ部
６　絶縁スペーサ
１０ａ　段付き通孔（太径部）
１０ｂ　段付き通孔（細径部）
１０ｃ　ネジ孔
【図１】
2004000424.tif 000003
【図２】
2004000424.tif 000004
【図３】
2004000424.tif 000005
【図４】
2004000424.tif 000006
【図５】
2004000424.tif 000007
【図６】
2004000424.tif 000008
【図７】
2004000424.tif 000009
【図８】
2004000424.tif 000010
【図９】
2004000424.tif 000011